(57)【要約】【課題】本発明は、展開が容易な新規なフェイスマスクの折り畳み構造を提供することを目的とする。【解決手段】  フェイスマスク１０の額相当部２３から顎相当部２４に至る仮想中心線（Ｌ）を挟む右領域と左領域のそれぞれに設けられた縦折部３によって外三つ折りし、且つ、前記仮想中心線（Ｌ）と交差する一ないし複数の横折部４によって折り畳み、前記縦折部３同士の間隔が顎相当部側より額相当部側において小さくなるようにする。【選択図】図１
2018064671.tif 000002
【特許請求の範囲】
【請求項１】
顔面に貼付されて使用されるフェイスマスクの折り畳み構造であって、
額相当部から顎相当部に至る仮想中心線を挟む右領域と左領域のそれぞれに設けられた一対の縦折部によって外三つ折りされ、
且つ、前記仮想中心線と交差する一ないし複数の横折部によって折り畳まれてなり、
前記縦折部同士の間隔が顎相当部側より額相当部側において小さくなるように、
前記縦折部の少なくとも一方に、前記仮想中心線に対する傾きが付与されてなることを特徴とするフェイスマスクの折り畳み構造。
【請求項２】
請求項１に記載のフェイスマスクの折り畳み構造において、
前記縦折部に付与された傾きが、前記仮想中心線に対して５〜３５度の範囲となされたフェイスマスクの折り畳み構造。
【発明の詳細な説明】
【技術分野】
【０００１】
本発明は、顔面に貼付されて使用されるフェイスマスクの折り畳み構造に関する。
【背景技術】
【０００２】
一般的な外用貼付剤は、一枚ごとに、又は、複数枚まとめて被通気性の袋材や容器に封入された状態で流通や保存に供され、使用時に開封される使用形態となされている。外用貼付剤のうち、顔面に貼付されるフェイスマスクは比較的大型であることから、通常、折り畳まれた状態で袋材や容器に封入されている。
【０００３】
しかしながら、フェイスマスクは、不織布等の支持体に化粧水などを含侵させた湿潤シートの形態となされたものが多く、折り畳まれて重なった部分がくっつくため、展開が困難であった。そのため、下記特許文献１では、展開操作が容易なフェイスマスク（フェイスパックマスク）の折り畳み構造を提案している。
【先行技術文献】
【特許文献】
【０００４】
【特許文献１】特開２００６‐４２９８１号公報
【発明の概要】
【発明が解決しようとする課題】
【０００５】
図４（ａ）〜（ｅ）に示すように、前記特許文献１に開示された折り畳み構造１００は、フェイスマスク１０の左右の領域を、それぞれ縦の折り曲げ線（Ｖ１〜Ｖ４）で外三つ折りし、更に、横の折り曲げ線Ｈにて二つ重ねで折り畳むことによって構築される。
【０００６】
しかしながら、図５に示すように、この折り畳み構造１００を展開するためには、左右に突出させた左端部と右端部とをつまみ、左右に引っ張る工程（図５（ａ）〜（ｃ）参照）と、重なり合った上半分と下半分とを剥離する工程（図５（ｄ）参照）の二工程が必要となる。又、重なり合った上半分と下半分とを剥離する工程では、湿潤してくっついたシートを剥がす作業が必要となる。
【０００７】
本発明は前記技術的課題に鑑みて開発されたものであり、展開が容易な新規なフェイスマスクの折り畳み構造を提供することを目的とする。
【課題を解決するための手段】
【０００８】
前記技術的課題を解決する本発明のフェイスマスクの折り畳み構造は、顔面に貼付されて使用されるフェイスマスクの折り畳み構造であって、額相当部から顎相当部に至る仮想中心線を挟む右領域と左領域のそれぞれに設けられた一対の縦折部によって外三つ折りされ、且つ、前記仮想中心線と交差する一ないし複数の横折部によって折り畳まれてなり、前記縦折部同士の間隔が顎相当部側より額相当部側において小さくなるように、前記縦折部の少なくとも一方に、前記仮想中心線に対する傾きが付与されてなることを特徴とする（以下、「本発明折り畳み構造」と称する。）。
【０００９】
本発明折り畳み構造においては、前記縦折部に付与された傾きが、前記仮想中心線に対して５〜３５度の範囲となされたものが好ましい態様となる。
【発明の効果】
【００１０】
本発明によれば、フェイスマスクの展開が容易となる。
【図面の簡単な説明】
【００１１】
【図１】図１は、フェイスマスク及び本発明折り畳み構造を示す正面図である。
【図２】図２（ａ）、（ｂ）は、本発明折り畳み構造の構築を示す正面図である。
【図３】図３（ａ）、（ｂ）は、本発明折り畳み構造の展開を示す正面図である。
【図４】図４（ａ）〜（ｅ）は、従来のフェイスマスクの折り畳み構造の構築を示す正面図である。
【図５】図５（ａ）〜（ｃ）は、従来のフェイスマスクの折り畳み構造の展開を示す正面図である。
【発明を実施するための形態】
【００１２】
以下、本発明の実施形態を説明するが、本発明はこれらの実施形態に限定されるものではない。
【００１３】
＜本発明折り畳み構造１＞
図１に、実施形態１に係る本発明折り畳み構造１を示す。本発明折り畳み構造１は、顔面に貼付されて使用されるフェイスマスク１０を折り畳むことによって構築される。
【００１４】
‐フェイスマスク１０‐
前記フェイスマスク１０は、支持体２に化粧水などの薬液を含侵させたものである。前記支持体２は、人の顔型を模した形状にカットされており、目に相当する部分及び口に相当する部分に開口部（２１Ｅ、２１Ｍ）が設けられている。又、顔面に貼付された際に、顔の立体形状に追随し易いように、鼻に相当する部分にＵ字状の切り込み２２Ｎが設けられると共に、外縁の複数個所に直線状の切り込み２２Ｓが設けられている。本実施形態では、前記支持体２としてセルロース製不織布（目付６０ｇ／ｍ２）を用いた。
【００１５】
＜本発明折り畳み構造１の構築＞
図２に、本発明折り畳み構造１を構築する工程を示す。本発明折り畳み構造１を構築するにあたっては、縦折工程と横折工程とを実行する。
【００１６】
‐縦折工程‐
前記縦折工程では、前記支持体２を、額相当部２３から顎相当部２４に至る仮想中心線（Ｌ）を挟む右領域と左領域のそれぞれに設けられた一対の縦折部３（３Ｌ、３Ｒ）によって外三つ折りする（図２（ａ）参照）。従って、前記縦折部３の一方（ここでは左領域に存する縦折部３Ｌ）は谷折りとなり、もう一方（ここでは右領域に存する縦折部３Ｒ）は山折りとなる。
【００１７】
この縦折工程の際、前記縦折部３（３Ｌ、３Ｒ）同士の間隔が前記顎相当部２４側より前記額相当部２３側において小さくなるように、前記縦折部３（３Ｌ、３Ｒ）の少なくとも一方に、前記仮想中心線Ｌに対する傾き（θ）を付与する。本実施形態においては、前記縦折部３（３Ｌ、３Ｒ）の各々に、前記仮想中心線（Ｌ）に対して１０度の傾き（θ）を付与した。前記縦折部３（３Ｌ、３Ｒ）に傾き（θ）を付与すると、外三つ折りされた前記支持体２の重なり代２０の代幅は、前記顎相当部２４側が大きく、前記額相当部２３側が小さくなる。その結果、前記重なり代２０から左右に張り出す前記支持体２の縁部の張り出し部２５（２５Ｒ、２５Ｌ）は、前記額相当部２３側に寄る。なお、前記張り出し部２５（２５Ｒ、２５Ｌ）の張り出し幅（Ｘ）は、１０ｍｍ以上（より好ましくは、１５ｍｍ以上）とすることが好ましい。
【００１８】
‐横折工程‐
前記横折工程では、前記支持体２を、前記仮想中心線（Ｌ）と交差する一ないし複数の横折部４によって折り畳む（図２（ｂ）参照）。本実施形態においては、前記額相当部２３と前記顎相当部２４の各々を通過し、前記仮想中心線（Ｌ）と垂直に交差する二条の横折部４（４Ｕ、４Ｄ）に沿って、前記支持体２の上部と下部を山折した。
【００１９】
前記工程を経て構築される本発明折り畳み構造１は、一枚ごとに、又は、複数枚まとめて被通気性の袋材や容器に封入された状態で流通や保存に供され、使用時に開封される使用形態となされる。
【００２０】
＜本発明折り畳み構造１の展開＞
図３に、前記本発明折り畳み構造１を展開する工程を示す。前記本発明折り畳み構造１を展開するにあたっては、前記本発明折り畳み構造１の両端に存する前記張り出し部２５（２５Ｒ、２５Ｌ）をつまむ（図３（ａ）参照）。ここで、本発明折り畳み構造１は、前記縦折部３（３Ｌ、３Ｒ）に傾き（θ）を付与した結果、前記張り出し部２５（２５Ｒ、２５Ｌ）が前記額相当部２３側に寄っている。
【００２１】
この状態で、前記本発明折り畳み構造１を左右に引っ張れば、前記重なり代２０が展開される。又、前記重なり代２０の展開に応じて、前記横折部４（４Ｕ、４Ｄ）によって折り畳まれていた前記額相当部２３側が立ち上がり、又、前記顎相当部２４側が垂れ下がる。これにより、前記本発明折り畳み構造１が展開され、フェイスマスク１０が貼付され得る状態となる。
【００２２】
即ち、本発明折り畳み構造１は、前記本発明折り畳み構造１の前記張り出し部２５（２５Ｒ、２５Ｌ）をつまみ、左右に引っ張るだけで、容易に展開することができる。
【００２３】
なお、本実施形態においては、前記縦折部３（３Ｌ、３Ｒ）の各々に傾き（θ）を付与しているが、この傾き（θ）は、前記縦折部３（３Ｌ、３Ｒ）のいずれか一方に設ければよい。
【００２４】
又、本実施形態においては、前記縦折部３（３Ｌ、３Ｒ）の各々に付与する傾き（θ）につき、前記仮想中心線（Ｌ）に対して、１０度としているが、この傾き（θ）は、５〜３５度（より好ましくは、１０〜２０度）の範囲とすることが好ましい。傾き（θ）をこの範囲内に設定すれば、本発明折り畳み構造１を容易に展開することができることが確認されている。
【００２５】
更に、本実施形態においては、前記横折部４につき、前記仮想中心線（Ｌ）と垂直に交差する二条の山折りとしているが、前記横折部４の位置、数、及び、前記仮想中心線（Ｌ）との交差角は特に限定されるものではない。
【００２６】
なお、本発明は、その精神又は主要な特徴から逸脱することなく、他のいろいろな形態で実施することができる。そのため、上述の実施例はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００２７】
本発明貼付剤は、顔面に貼付されて使用されるフェイスマスクの折り畳み構造として好適に用いられる。
【符号の説明】
【００２８】
１  本発明折り畳み構造（フェイスマスクの折り畳み構造）
２  支持体
２０  重なり代
２３  額相当部
２４  顎相当部
２５  張り出し部
３  縦折部
４  横折部
１０  フェイスマスク
Ｌ  仮想中心線
【図１】
2018064671.tif 000003
【図２】
2018064671.tif 000004
【図３】
2018064671.tif 000005
【図４】
2018064671.tif 000006
【図５】
2018064671.tif 000007